(57)【要約】【課題】      筋肉を適温に保つと運動機能を充分発揮できることおよび疲労の蓄積が軽減できることに着目して考えられたものであり、ゴルフ、ウォーキング、ジョギング、ハイキングなどの戸外での運動時に着用するのに適しており、しかも町歩きをする際に着用するのにも適したズボンを提供する。【解決手段】  ズボンの前側の大腿部前面に対応する箇所に斜めの開口が設けられており、ズボンの内側において、前記開口を開閉するためのファスナー４が開口部３に設けられるとともに、通気性を有する布地５の２辺が前記ファスナーの２つのテープ部分４１にそれぞれ取着されており、前記開口が開閉自在となっている。【選択図】    図１
2012097387.tif 000002
【特許請求の範囲】
【請求項１】
ズボンの前側の大腿部前面に対応する箇所に斜めの開口が設けられており、ズボンの内側において、前記開口を開閉するためのファスナーが開口部に設けられるとともに、通気性を有する布地の２辺が前記ファスナーの２つのテープ部分にそれぞれ取着されており、前記開口が開閉自在となっていることを特徴とするズボン。
【請求項２】
前記斜めの開口の上端と下端との間において、その幅方向の距離は開口の下端の位置におけるズボンの幅の少なくとも１／６以上であり、その縦方向の距離は股下から膝までの長さの少なくとも１／４以上であることを特徴とする請求項１記載のズボン。
【請求項３】
前記開口がズボンの股下付近の位置における脇線付近から膝の付近まで斜めに設けられていることを特徴とする請求項１または請求項２に記載の記載のズボン。
【請求項４】
前記開口がズボンの布地の切替え箇所に形成されており、スライド・ファスナーまたはコンシール・ファスナーにより開閉されることを特徴とする請求項１〜３のいずれか１項に記載のズボン。
【請求項５】
前記開口がズボンの布地に切込みを入れることにより形成されており、該開口はコンシール・ファスナーにより開閉されることを特徴とする請求項１〜３のいずれか１項に記載のズボン。
【発明の詳細な説明】
【技術分野】
【０００１】
本発明はズボンに関し、より詳しくは通風性（通気性）を有するズボンに関するものである。
【背景技術】
【０００２】
従来から、衣服を着用している際の衣服内の蒸れを防止するために種々の提案がなされている。
【０００３】
通風手段を実際に採用している衣服は上衣に多く、例えば、腋の下の箇所にメッシュを使用したジャケットや背中のヨークの箇所にメッシュを使用したレインコートなどがある。
【０００４】
下衣においては実際に市販されているものは余り見掛けないが、多くの提案がなされている。
【０００５】
例えば、特開２００１−７３２０５号公報（特許文献１）にはズボンの後ポケットの袋布としてメッシュ地を使用した清涼ズボンが開示されている。
【０００６】
実公昭５６−６４０７号公報（特許文献２）には、防水性の生地でトレーニングパンツの本体を形成し、腰の背中側部分と外側の脇線部分を通気性を有するメリヤス地としたトレーニングパンツが開示されている。
【０００７】
実公平４−２１７６９号公報（特許文献３）には、特許文献２と同様に防水性、防風性に富む生地でトレーニングパンツの本体を形成し、膝部分に通気切換を開設し、ポケットの開口部の内側に内ポケットを形成し、この内ポケットとポケットの開口の間に通気性生地を設けて、膝から上の空気を流出できるようにしたトレーニングパンツが開示されている。
【０００８】
実開昭５２−４０２１０号公報（特許文献４）には内股部分をメッシュ地としたスポーツ用スラックスが開示されている。
【先行技術文献】
【特許文献】
【０００９】
【特許文献１】特開２００１−７３２０５号公報
【特許文献２】実公昭５６−６４０７号公報
【特許文献３】実公平４−２１７６９号公報
【特許文献４】実開昭５２−４０２１０号公報
【発明の概要】
【発明が解決しようとする課題】
【００１０】
前述した特許文献１のズボンでは後ポケットの袋布としてメッシュ地を使用しているだけであるので、通風性が少なく、軽い運動をする場合には通風性が不十分である。
【００１１】
特許文献２の本体が防水性の生地からなるトレーニングパンツでは、腰の背中側部分と外側の脇線部分に通気性を有するメリヤス地を設けているが、ゴルフやウォーキングのように歩く動作が多い運動では、運動時に腰の背部分や脇線部分からの空気流通が少ない。
【００１２】
特許文献３の本体が防水性、防風性に富む生地からなるトレーニングパンツでは、膝下に通気切換を設けるとともにポケット口に通気性生地部を設けている。しかし、ズボンの腰回りは、通常、身体にフィットしているので、ポケット口が開いた状態のままになることはなく、そのため膝から腰までの空気の流通はあまり期待できない。また、外歩きが多い運動では、膝下の開口（通気切換）により膝を冷やしてしまい、好ましくない。
【００１３】
特許文献４のスラックスでは内股部分が冷やされるだけである。
【００１４】
スポーツ分野においては、運動後の疲労蓄積や筋肉痛を軽減するためにアイシングが利用されている。一方、筋肉の運動機能を充分に発揮させるには、その筋肉に適した温度があり、筋肉の温度が低過ぎても高過ぎても、筋肉の運動機能を充分に発揮させることができない。このため、運動開始前にはウォーミングアップで身体（筋肉）を温めることが一般に行われている。そして、運動により筋肉の温度が上昇するので、マラソン選手などは走っている最中に、給水所で受け取った水を腿や腕にかけて、腿や腕を冷却している。
【００１５】
本発明は、このような筋肉を適温に保つと運動機能を充分発揮できることおよび疲労の蓄積が軽減できることに着目して考えられたものである。
【００１６】
本発明はゴルフ、ウォーキング、ジョギング、ハイキングなどの戸外での運動時に着用するのに適しており、しかも町歩きをする際に着用するのにも適したズボンを提供することを目的とする。
【００１７】
なお、前述した従来のトレーニングパンツなどは外観・素材等が通常のズボンと大きく異なっているので、町中で着用するのには適していない。
【課題を解決するための手段】
【００１８】
本発明によれば、ズボンの前側の大腿部前面に対応する箇所に斜めの開口が設けられており、ズボンの内側において、前記開口を開閉するためのファスナーが開口部に設けられるとともに、通気性を有する布地の２辺が前記ファスナーの２つのテープ部分にそれぞれ取着されており、前記開口が開閉自在となっていることを特徴とするズボンにより前記目的を達成した。
【００１９】
前記斜めの開口の斜めの程度は、その上端と下端との間において、その幅方向の距離は開口の下端の位置におけるズボンの幅の少なくとも１／６以上であり、その縦方向の距離は股下から膝までの長さの少なくとも１／４以上であることが好ましい。
【００２０】
前記開口がズボンの股下付近の位置における脇線付近から膝の付近まで斜めに設けられていることが好ましい。
【００２１】
前記開口がズボンの布地の切替え箇所に形成されており、スライド・ファスナーまたはコンシール・ファスナーにより開閉されることが好ましい。
【００２２】
前記開口がズボンの布地に切込みを入れることにより形成されており、該開口はコンシール・ファスナーにより開閉されることが好ましい。
【発明の効果】
【００２３】
ゴルフ、ウォーキング、ジョギング、ハイキングなどの戸外での運動時には一番使用される筋肉は腿の筋肉（大腿四頭筋、縫工筋）である。
【００２４】
本発明によれば、ズボンの前側の大腿部前面に対応する箇所に斜めの開口を設けたので、この開口から外部の空気が流入することができ、運動した際に温度が上昇し易い大腿部前面の大腿四頭筋や縫工筋を空気の流入により冷却（クールダウン）することができる。
【００２５】
また、暑い最中でも、腿の部分が冷やされると、腿の筋肉は大きく、血流量も多いので、暑さを効果的に取り除いて、涼しく感じることができる。
【００２６】
本発明では、ズボンの前面部（腿の箇所）に斜めに開口が形成されているので、歩いたり等の運動した際に開口が開いて空気が流入するだけでなく、ゴルフの際に次のホールに向かうためにカートで移動するような場合にも、カートの椅子に腰掛けると開口が開き、そこから空気が流入するので、カートでの移動中にも効果的に腿を冷却することができる。
【００２７】
また、本発明によれば、開口を開閉するためのファスナーが開口部に設けているので、ファスナーで開口部を閉じれば、普通のズボンと同じ形状であり、ゴルフ等の運動を行う時に着用するのに適しているだけでなく、町中で着用するのにも適している。
【００２８】
また、本発明によれば、通気性を有する布地の２辺をファスナーの２つのテープ部分にそれぞれ取着しているので、ファスナーを開けた状態でも開口からは通気性布地が見えるだけであり、着用者の肌や下着等が外部から直接に見えないので好ましい。
【００２９】
本発明において、斜めの開口の斜めの程度が、その上端と下端との間において、その幅方向の距離は開口の下端の位置におけるズボンの幅の少なくとも１／６以上であり、その縦方向の距離は股下から膝までの長さの少なくとも１／４以上であることが好ましく、このようにすると大腿部の筋肉を冷却するのに充分な大きさの開口とできる。
【００３０】
また、開口がズボンの股下付近の位置における脇線付近から膝の付近まで斜めに設けられていることが好ましく、このようにすると開口が大腿部の縫工筋に沿った状態で配置され、効果的に筋肉を冷却できるとともに、ズボンとしてのデザイン的にも好ましい。
【００３１】
本発明において、ズボンの布地の切替え箇所にファスナーを設けると、ファスナー自体をあまり目立たせずに取り付けることができる。
【００３２】
また、開口をズボンの布地に切込みを入れることにより形成して、その箇所にコンシール・ファスナーを取り付けた場合は、コンシール・ファスナーを閉じれば布地に１本の線が入るだけであるので、ファスナーが目立たず、普通のズボンと同様に見える。特に、ズボンの色が黒色、紺色等のように濃い色の場合はファスナーが設けられていることは殆ど分からない。
【図面の簡単な説明】
【００３３】
【図１】本発明のズボンの一実施例を示す正面図である。
【図２】図２（ａ）はファスナーを閉じた状態の開口部を示す図１のII−II線に沿った断面斜視図であり、図２（ｂ）は図２（ａ）のファスナーを開けた状態を示す断面斜視図である。
【図３】本発明のズボンの別の実施例を示す正面図である。
【図４】図４（ａ）はファスナーを閉じた状態の開口部を示す図３のIV−IV線に沿った断面斜視図であり、図４（ｂ）は図４（ａ）のファスナーを開けた状態を示す断面斜視図である。
【図５】図４に示したズボンの前身頃のパターンを示す平面図である。
【図６】図５に示したパターンの上半分の拡大図である。
【図７】パターンにおけるダーツの種類を説明するための平面図である。
【発明を実施するための形態】
【００３４】
以下、図面に示した実施例に基いて本発明を詳細に説明する。
【００３５】
本発明のズボンは、従来のトレーニングパンツのように防水性、防風性に富む生地を使用せずに、通常にズボンの生地として使用されているものを用いればよい。好ましくは、身体を動かす際に着用することを前提としているので、ストレッチ性を有する生地を使用して製作する。
【００３６】
図１に示したズボンは、前身頃１において脇ポケットの下側から裾まで斜めに伸びる切替え箇所２で布地１１、１２が縫合わされたデザインのものである。
【００３７】
図１に示すように、ズボンの前側の大腿部前面に対応する箇所に斜めの開口部３が設けられており、この開口部３は切替え箇所２に沿って形成されている。
【００３８】
図２に左側大腿部に対応する開口部３の詳細を示した。開口部３は布地１１と布地１２とが縫合わされておらず、開口となっている箇所に形成され、開口部３にはその開口を開閉するためのファスナー４と、このファスナー４を覆い隠すための玉縁布６と、通気性を有する布地５とが設けられている。
【００３９】
ファスナー４は１対のファスナー・テープ４１とこのテープ４１に取着された互いに噛合う１対の務歯（ムシ）４２とからなり、ズボンの内側に取り付けられる。すなわち、一方のファスナー・テープ４１は玉縁布６を介して布地１１に縫着され、他方のファスナー・テープ４１は布地１２に縫着される。
【００４０】
通気性を有する布地５としてはメッシュ生地のような通気性の良いものが好ましい。通気性を有する布地５は四角形で、その対向する２辺がそれぞれ２つのファスナー・テープ４１、４１に縫着されている。
【００４１】
図２（ａ）に示すように、ファスナー４を閉じた状態では玉縁布６によってファスナー４は隠されており、外部からズボンの内部への空気の流入はない。そして、図２（ｂ）に示すように、ファスナー４を開くと、開口部３が開いた状態となり、矢印Ｓで示すような空気の流れが生じ、外部から空気Ｓが開口を通って、通気性を有する布地５を通過して、ズボンの内部へと流入する。
【００４２】
開口部３はズボンの長さ方向に対して斜めとなっている。開口の斜めの程度は、その上端３ａと下端３ｂ（図１参照）との間における幅方向の距離と縦方向（すなわち、ズボンの長さ方向）の距離により決められる。
【００４３】
開口部３の上端３ａと下端３ｂとの間の幅方向の距離は開口部の下端３ｂの位置におけるズボンの幅の少なくとも１／６以上であることが好ましい。また、図１に示した実施例では、切替えを利用して開口を形成しているので、この幅方向の距離は大きくてもズボンの幅の１／２程度である。
【００４４】
開口部３の上端３ａと下端３ｂとの間の縦方向の距離は股下から膝までの長さの少なくとも１／４以上であることが好ましい。開口部３の下端３ｂが膝下まで延びでいると、ファスナー４を開いた状態で歩くと歩き難いことがあるので、下端３ｂの位置は膝の箇所まで、好ましくは膝上までとする。
【００４５】
また、開口部３の斜めの方向は図１に示すように、ズボンの股下付近の位置における脇線付近から膝の付近まで、外側（脇側）から内側へと斜めに設けられていることが好ましい。
【００４６】
このような本発明のズボンを着用して、ファスナー４を開けた状態で身体を動かすと、開口から空気が流入し、その空気によって、運動したことにより温度が高くなった大腿部の筋肉が冷される。
【００４７】
なお、図１に示した実施例ではスライド・ファスナーを使用しているが、コンシール・ファスナーを使用してもよい。また、図１に示した実施例では玉縁布６を設けているが、玉縁布６は本発明のズボンを普段着としてファスナーを閉じた状態で着用する際に、ファスナーを隠すために設けているものであり、玉縁布６を設けなくてもよい。
【００４８】
図３は本発明のズボンの別の実施例を示しており、この実施例では開口部３の開口はズボンの前身頃１の布地に切込みを入れることにより形成され、この部分にコンシール・ファスナー４が取付けられている。そしてコンシール・ファスナー４のテープ部分４１に通気性を有する布地５が縫着される。
【００４９】
図４（ａ）に示すように、コンシール・ファスナー４を閉じた状態では噛合わせの部分４２が表側からは隠れて、図３に示したように縫い目線のように見える。コンシール・ファスナー４を開けると、開口が開き、矢印Ｓで示すように、外部から空気が開口を通って、通気性を有する布地５を通過して、ズボンの内部へと流入する。
【００５０】
図３のズボンでは左前身頃１または右前身頃１は１枚の布地により構成されるが、切込みを入れて、コンシール・ファスナー４を取着するために、パターン７の形状を図５に示したように通常のパターンから変更する。すなわち、開口部３を形成する箇所にたけのこ型ダーツ７０を設ける。
【００５１】
通常のダーツは図７（ａ）に示したように矢の先のような尖った形状であるが、たけのこ型ダーツは図７（ｂ）に示すように、先端だけが尖った形状で、残りの部分は平行に延びているダーツのことをである。
【００５２】
図５に示すように、このようなたけのこ型ダーツ７０を設ける分だけズボンの幅が広くなったパターンとなる。なお、図５において符号７５は中心線、符号７６は膝線である。
【００５３】
図６はたけのこ型ダーツの部分７０を拡大して示しており、ダーツの中心線７１に切込みが入れられ、開口となる。符号７２と７３で示した間にコンシール・ファスナー４が取付けられる。また、符号７４で示した部分が図４において縫い代１３となる部分である。
【００５４】
図３に示した第２実施例において、開口部３の斜めの程度および長さは第１実施例と同程度である。なお、図５に示したパターンでは開口部３は前身頃の中心線７５付近までしか延びていないが、中心線を７５を越えるように傾斜を緩くして設けることも可能である。すなわち、開口部３の上端３ａと下端３ｂとの間の幅方向の距離をズボンの幅の１／２より大きくすることが可能である。
【００５５】
また、第１実施例と同様に、開口部３の下端３ｂは膝線７６より上に位置していることが好ましい。
【符号の説明】
【００５６】
１  前身頃
２  切替え箇所
３  開口部
４  ファスナー
５  通気性を有する布地
６  玉縁布
７  パターン
Ｓ  空気の流れ
【図１】
2012097387.tif 000003
【図２】
2012097387.tif 000004
【図３】
2012097387.tif 000005
【図４】
2012097387.tif 000006
【図５】
2012097387.tif 000007
【図６】
2012097387.tif 000008
【図７】
2012097387.tif 000009